(57)【要約】      （修正有）【課題】ジャイロセンサを内蔵したコントローラの傾き角度を赤外線信号によって飛行玩具の受光部に発射して、飛行玩具のローターを回転させ、そのコントローラの傾きに応じて出力を変更することで、飛行玩具の上昇、下降、ホバリング等の１チャンネルの操作が行えるようにした飛行玩具用コントローラを提供する。【解決手段】コントローラのケース１内に、該ケースの傾き量を検出するジャイロセンサと、該ジャイロセンサが検出した傾き量に応じた信号を出力する制御回路と、該制御回路よりの信号に応じて赤外線を放射する赤外線発光灯４とを内蔵したことを特徴とする。【選択図】図１
0003193940.tif 000002
【実用新案登録請求の範囲】
【請求項１】
コントローラのケース内に、該ケースの傾き量を検出するジャイロセンサと、該ジャイロセンサが検出した傾き量に応じた信号を出力する制御基板と、該制御基板よりの信号に応じて赤外線を放射する赤外線発光灯とを内蔵したことを特徴とする飛行玩具用コントローラ。
【請求項２】
前記コントローラのケースを操作者の手の中に隠し持てる大きさとしたことを特徴とする請求項１記載の飛行玩具用コントローラ。
【考案の詳細な説明】
【技術分野】
【０００１】
本考案は、ジャイロセンサを内蔵したコントローラの傾き角度を赤外線信号によって飛行玩具の受光部に発射して、飛行玩具のローターを回転させ、そのコントローラの傾きに応じて出力を変更することで、飛行玩具の上昇、下降、ホバリング等の１チャンネルの操作が行えるようにした飛行玩具用コントローラに関する。
【背景技術】
【０００２】
近年、ラジオコントロールによって室内で浮遊させることのできる超小型化されたヘリコプターが開発され人気を博している。しかし、一般的にヘリコプターはエンコン（出力の増減）のほかに、ピッチ（メインローターの角度調整）、エルロン（機体の左右への傾き）、ラダー（メインローターの機種の左右への振り）、エレベータ（機首の上下への振り）などを同時に制御しなければならず操縦が難しいといった欠点があった。
【０００３】
意匠登録第１３４９０４５号公報には、リモコン操作によって、ローターを回転させ、その回転によって上昇、下降、ホバリングの遊戯が行える飛行玩具が開示されている。このような制御は１チャンネルの信号で可能となりコストの低減が図れ、また操作性も簡単となる。
【０００４】
ところで、前記登録意匠公報にはコントローラについての開示はないが、コントローラとしては公知技術であるコントローラのケースに配置されている１チャンネルの出力可変レバーを指先で操作し、ローターの回転数を制御して飛行玩具の上下の浮遊を楽しむものであった。
【０００５】
また、特開平５−１１１０８２号公報には、遊技機に信号を送るコントローラの内部に、該コントローラを左右方向や前後方向の少なくとも一方向に傾けたとき、その傾きに応じた信号を発する信号発信器、すなわち、ジャイロセンサを内蔵したコントローラが開示されている。
【先行技術文献】
【特許文献】
【０００６】
【特許文献１】意匠登録第１３４９０４５号公報
【特許文献２】特開平５−１１１０８２号公報
【考案の概要】
【考案が解決しようとする課題】
【０００７】
従来の１チャンネル飛行玩具のコントロールにあっては、コントローラを手に持って、出力可変レバーを指先で操作しなければならなかった。
【０００８】
本考案は前記した問題点を解決せんとするもので、その目的とするところは、コントローラを手の中に隠し持てるほど小型化して、コントローラが外部から見えない状態で飛行玩具を操縦することを可能とすることによって、コントローラをこぶしの中に隠し、握ったこぶしの傾きだけで飛行玩具が操縦されることが可能となるので、見物者に不可思議感を与えることの期待ができる飛行玩具用コントローラを提供せんとするにある。
【課題を解決するための手段】
【０００９】
本考案の飛行玩具用コントローラは前記した目的を達成せんとするもので、請求項１の手段は、コントローラのケース内に、該ケースの傾き量を検出するジャイロセンサと、該ジャイロセンサが検出した傾き量に応じた信号を出力する制御基板と、該制御基板よりの信号に応じて赤外線を放射する赤外線発光灯とを内蔵したことを特徴とする。
【００１０】
請求項２の手段は、前記した請求項１において、前記コントローラのケースを操作者の手の中に隠し持てる大きさとしたことを特徴とする。
【考案の効果】
【００１１】
本考案は前記したように、コントローラの傾き量によって１チャンネル飛行玩具の上昇と下降およびホバリングの操縦ができるので、従来のような指先での出力可変レバーの操作が不要となり、操作性が簡単である。
【００１２】
さらに、コントローラのケースを操作者の手のひらに隠し持てる大きさにすることで、コントローラが外部から見えない状態で飛行玩具をコントロールすることができ、見物者に不可思議感を与える奇術の種として用いることも可能となる。
【００１３】
例えば、コントローラを握ったこぶしの傾きで飛行玩具を操縦できるので、こぶしから指を本飛行玩具に向けて突き出し、指を上方向に移行させればその方向に飛行玩具は浮上していくので見物者には魔法の指のような錯覚を与えることが可能となる。
【００１４】
また、指に嵌めた指輪を顕著に表現すれば魔法の指輪で操縦しているような錯覚を与えることができる。あるいは、こぶしに杖を挟めば魔法の杖のような錯覚を与えることも可能となる。このように、コントローラ自体を手のひらに隠し持てる大きさにすることによって奇術用具の一環としての応用も期待できる等の効果を有するものである。
【図面の簡単な説明】
【００１５】
【図１】本考案の飛行玩具用コントローラの斜視図である。
【図２】図１のコントローラを握っている状態の平面図である。
【考案を実施するための形態】
【００１６】
以下、本考案に係る飛行玩具用コントローラＡの一実施例を図面と共に説明する。
１は操作者の手のひらに収納される大きさのケース、２は該ケース１内に収納されたバッテリ、３は該バッテリを電源として動作する制御基板にして、ジャイロセンサ（図示せず）が組み込まれ、また、制御基板３には、前記ケース１を操作者が上方向に傾けた場合にジャイロセンサがその傾き量を検出すると、前記傾き量に応じた信号を出力する電子回路が組み込まれている。４は前記制御基板３に接続された発光ダイオード等の赤外線発光灯、５は電源スイッチである。
【００１７】
次に前記した飛行玩具用コントローラＡの動作について説明する。
操作者が電源スイッチ５をオンにした状態でケース１を手のひらで包むようにして、手首を上方向に動かすとジャイロセンサが、ケース１が上方向に傾けられたその傾き量を検出して制御基板３の電子回路に出力するので、該電子回路は傾き量に対応した赤外線信号を赤外線発光灯４に出力する。
【００１８】
そして、赤外線発光灯４より、傾き量に対応した赤外線信号が照射され、該赤外線信号を飛行玩具に設けられている受光器に向けることで、前記赤外線発光灯４よりの赤外線信号によって飛行玩具は操縦される。つまり、ケース１が大きく傾けられた場合には大きな出力を出す信号が受信されるので飛行玩具の翼は高速で回転し、上昇することになり、ケース１の傾きが小さくなると回転出力の命令が小さくなり、飛行玩具は下降することになる。また、翼の回転数と飛行玩具本体の重量のバランスが均衡した時には、当該飛行玩具は空中で静止するホバリング状態となる。
【符号の説明】
【００１９】
Ａ  コントローラ
１  ケース
２  電池
３  制御基板
４  赤外線発光灯  
５  電源スイッチ
【図１】
0003193940.tif 000003
【図２】
0003193940.tif 000004